(57)【要約】【課題】  ドラッグアンドドロップという簡単な操作で商品情報のグループ分けや関連付けが行え、さらに他のアプリケーションソフトで利用できるファイルを簡単に作成できるデータベースシステムを提供すること。【解決手段】  グループＡ１１２をクリックすると、商品Ａのショートカット９５６が表示される。このショートカット９５６をグループＡ１２にドラッグアンドドロップするとグループテーブル３０においてグループＡ１２と商品Ａとが紐付けされる。【選択図】  図９
2005092569.tif 000002
【特許請求の範囲】
【請求項１】
情報を蓄積するデータベースと、
前記情報を画面上に表示する表示手段と、
前記表示手段で表示されている情報を、画面上の別の位置にドラッグアンドドロップすると、ドロップされる位置に応じて異なる処理を行う処理手段と、
を具備することを特徴とするデータベースシステム。
【請求項２】
前記処理手段は、商品のショートカットを別のホルダにドラッグアンドドロップすると、前記ホルダ内に商品のショートカットを作成することを特徴とする請求項1記載のデータベースシステム。
【請求項３】
前記処理手段は、商品情報を他の商品情報にドラッグアンドドロップすると、両商品をリンクさせることを特徴とする請求項1記載のデータベースシステム。
【請求項４】
前記処理手段は、商品情報をオペレーティングシステム上の表示領域にドラッグアンドドロップすると、商品情報のテキストファイルを生成することを特徴とする請求項1記載のデータベースシステム。
【請求項５】
前記処理手段は、素材情報をオペレーティングシステム上の表示領域にドラッグアンドドロップすると、素材ファイルを生成することを特徴とする請求項1記載のデータベースシステム。
【請求項６】
コンピュータを請求項１から請求項５のいずれかに記載のデータベースシステムとして機能させるプログラム。
【請求項７】
コンピュータを請求項１から請求項５のいずれかに記載のデータベースシステムとして機能させるプログラムを記録した記録媒体。
【発明の詳細な説明】
【技術分野】
【０００１】
本発明は、ネットワークを利用したデータベースシステムに係り、特にデータベースから取得した情報をドラッグアンドドロップするときの機能に関する。
【背景技術】
【０００２】
近年、カタログ制作を行う際、コンピュータの普及に伴い、カタログに載せる商品データをデータベース化して利用することが始まっている。データベースと連携し、デスクトップパブリッシング（ＤＴＰ）等でカタログ制作作業を行い、その効率化が図られてきている。例えば、商品情報等を蓄積したデータベースと、データベースの情報を管理し、データベースの情報の入出力、検索、閲覧等の機能を提供するサーバと複数のユーザ端末装置等からなるデータベースシステムが幾つか存在する（例えば、特許文献１）。
【０００３】
【特許文献１】特開２００１−３０６３７７号公報
【発明の開示】
【発明が解決しようとする課題】
【０００４】
ところで、従来のデータベースシステムを利用する場合、商品情報等をグループ分けするときや、商品情報同士の関連付けを行うときには、所定の書式のファイルを用意する必要があり、手間がかかっていた。また、商品や素材情報の確認等を行うためにテキスト出力したり、素材ファイルを他のアプリケーションソフト等で利用するために出力するといった作業を行う際は、ウィザード等さまざまな設定を行い、出力する必要があり、手間がかかっていた。
【０００５】
本発明は、以上の点に鑑みてなされたものであり、ドラッグアンドドロップという簡単な操作で商品情報のグループ分けや関連付けが行え、さらに他のアプリケーションソフトで利用できるファイルを簡単に作成できるデータベースシステムを提供することを目的とする。
【課題を解決するための手段】
【０００６】
前述した目的を達成するために第１の発明は、情報を蓄積するデータベースと、前記情報を画面上に表示する表示手段と、前記表示手段で表示されている情報を、画面上の別の位置にドラッグアンドドロップすると、ドロップされる位置に応じて異なる処理を行う処理手段と、を具備することを特徴とするデータベースシステムである。
【０００７】
この処理手段は、商品のショートカットを別のホルダにドラッグアンドドロップすると、前記ホルダ内に商品のショートカットを作成したり、商品情報を他の商品情報にドラッグアンドドロップすると、両商品をリンクしたり、商品情報をオペレーティングシステム上の表示領域にドラッグアンドドロップすると、商品情報のテキストファイルを生成したり、素材情報をオペレーティングシステム上の表示領域にドラッグアンドドロップすると、素材ファイルを生成する。
第２の発明は、コンピュータを請求項１から請求項５のいずれかに記載のデータベースシステムとして機能させるプログラムであり、第３の発明は、コンピュータを請求項１から請求項５のいずれかに記載のデータベースシステムとして機能させるプログラムを記録した記録媒体である。
【０００８】
上述のプログラムをＣＤ−ＲＯＭ等の記録媒体に保持させて流通させてもよいし、このプログラムを通信回線を介して送受することもできる。
【発明の効果】
【０００９】
本発明は、ドラッグアンドドロップという簡単な操作で商品情報のグループ分けや関連付けが行え、さらに他のアプリケーションソフトで利用できるファイルを簡単に作成できるデータベースシステムを提供することができる。
【発明を実施するための最良の形態】
【００１０】
以下に、添付図面を参照しながら、本発明に係るデータベースシステム等の好適な実施形態について詳細に説明する。なお、以下の説明および添付図面において、略同一の機能構成を有する構成要素については、同一の符号を付することにより重複説明を省略することにする。
【００１１】
図１は、本発明の本実施の形態に係るデータベースシステム１００の概略構成を示す図である。
【００１２】
図１に示すように、データベースシステム１００は、サーバ１０１、ユーザ１０４の端末装置１０３等が、ネットワーク１０９を介して接続されて構成される。
【００１３】
ネットワーク１０９は、インターネット、ローカルエリアネットワーク（ＬＡＮ）、社内ＬＡＮ等のネットワークであり、有線、無線を問わない。
【００１４】
サーバ１０１は、サーバコンピュータ等であり、データベースサーバ管理手段１１２、データベース管理手段１１３等を有する。データベースサーバ管理手段１１２は、ユーザ１０４の登録や各種設定等のシステム運用・管理を行う。データベース管理手段１１３は、データベースエンジン等であり、データベースへの検索、参照、登録、削除等の各種要求に対する該当処理を行う。
【００１５】
ユーザ１０４は、商品情報データベース３０１を利用する、予め、サーバ１０１に登録した利用者であり、端末装置１０３を有する。端末装置１０３は、商品情報データベース３０１の検索や情報内容の参照、閲覧等を行うデータベース操作手段１１１を介して、サーバ１０１にアクセスし、商品情報データベース３０１の操作要求、入力情報等を送信し、商品情報データベース３０１から取得した情報等を受信する。尚、端末装置１０３は、パーソナルコンピュータ、携帯情報端末（Ｐｅｒｓｏｎａｌ  Ｄｉｇｉｔａｌ  Ａｓｓｉｓｔａｎｔ）等である。
【００１６】
次に、サーバ１０１のハードウェア構成を説明する。図２は、サーバ１０１のハードウェア構成図である。
【００１７】
図２に示すように、サーバ１０１は、制御部２０１、記憶装置２０２（ハードディスク）、メディア入出力部２０３（ＣＤ−ＲＯＭ）、通信制御部２０４（通信制御装置、通信ポート等）、入力部２０５（キーボード、マウス等）、印刷部２０６（プリンタ）、表示部２０７（ディスプレイ）等が、バス２０９を介して接続される。
【００１８】
制御部２０１は、ＣＰＵ、ＲＯＭ、ＲＡＭ等で構成され、大容量記憶媒体としての記憶装置２０２に格納されたプログラムに従って、バス２０９を介して接続された各装置を駆動制御する。
【００１９】
記憶装置２０２には、各構成部分を駆動制御する制御プログラム３１１、アプリケーションプログラム３１２、及び商品情報データベース３０１等が格納されている。
【００２０】
これらの各プログラムコードは、制御部２０１により必要に応じて読み出されてＲＡＭに移され、ＣＰＵに読み出されて各種の手段として実行される。
【００２１】
メディア入出力部２０３（ＣＤ−ＲＯＭドライブ装置）は、制御部２０１のＲＯＭや記憶装置２０２に記憶されているプログラムや情報をバージョンアップ、機器設定等の設定を行う際に用いられる。
【００２２】
通信制御部２０４は、通信制御装置、通信ポート等であり、ネットワーク１０９を介して、サーバ１０１と、端末装置１０３間の通信制御を行う。
【００２３】
入力部２０５は、キーボード、マウス等であり、表示部２０７（ディスプレイ）に表示された操作案内、各種処理、操作を行う。
印刷部２０６は、プリンタであり、印刷出力処理を行う。
【００２４】
次に、記憶装置２０２におけるデータベースシステム関連のファイル配置について説明する。図３は、記憶装置２０２におけるデータベースシステム関連のファイル配置を示す。図３に示すように、記憶装置２０２内には、商品情報データベース３０１、及び制御プログラム３１１、アプリケーションプログラム３１２等が格納されている。
【００２５】
商品情報データベース３０１には、商品情報等を蓄積する。尚、サーバ１０１が管理する商品情報データベース３０１は、必要に応じて、複数存在してもよい。
【００２６】
制御プログラム３１１は、サーバ１０１の各構成部分を駆動制御するプログラムである。
アプリケーションプログラム３１２は、実行可能プログラムであり、データベースサーバ管理手段１１２、データベース管理手段１１３等に該当するプログラムである。
【００２７】
次に、端末装置１０３のハードウェア構成を説明する。図４は、端末装置１０３のハードウェア構成図である。
【００２８】
図４に示すように、端末装置１０３は、制御部４０１、記憶装置４０２（ハードディスク、外部メモリ）、メディア入出力部４０３（ＣＤ−ＲＯＭ）、通信制御部４０４（通信制御装置、通信ポート等）、入力部４０５（キーボード、マウス等）、印刷部４０６（プリンタ）、表示部４０７（ディスプレイ）等が、バス４０９を介して接続される。
【００２９】
制御部４０１は、ＣＰＵ、ＲＯＭ、ＲＡＭ等で構成され、大容量記憶媒体としての記憶装置４０２に格納されたプログラムに従って、バス４０９を介して接続された各装置を駆動制御する。
【００３０】
記憶装置４０２（ハードディスク）には、各構成部分を駆動制御するプログラム、データベース操作手段１１１等のアプリケーションプログラム等が格納されている。
【００３１】
これらの各プログラムコードは、制御部４０１により必要に応じて読み出されてＲＡＭに移され、ＣＰＵに読み出されて各種の手段として実行される。
【００３２】
メディア入出力部４０３（ＣＤ−ＲＯＭドライブ装置）は、制御部４０１のＲＯＭや記憶装置４０２に記憶されているプログラムや情報をバージョンアップ、機器設定等の設定を行う際に用いられる。
【００３３】
通信制御部４０４は、通信制御装置、通信ポート等であり、ネットワーク１０９を介して、端末装置１０３と、サーバ１０１間の通信制御を行う。
【００３４】
入力部４０５は、キーボード、マウス等であり、表示部４０７（ディスプレイ）に表示された操作案内、各種処理、操作を行う。
印刷部４０６は、プリンタであり、印刷出力処理を行う。
【００３５】
次に、データベースシステム１００の情報提供の処理の流れを説明する。図５、図６は、データベースシステム１００の処理手順を示すフローチャートである。図７は、ログイン画面８００とデータベース選択画面８１０を示す。
【００３６】
図５に示すように、端末装置１０３の制御部４０１は、サーバ１０１にアクセスし、ログインする（ステップ５０１）。
【００３７】
例えば、ユーザ１０４は端末装置１０３のデータベース操作手段１１１によりサーバ１０１にアクセスする。
【００３８】
図７に示すように、制御部４０１は、ログイン画面８００を表示する。ユーザ１０４は、ユーザＩＤ８０２、パスワード８０３を入力し、制御部４０１は、入力したユーザＩＤ８０２、パスワード８０３をサーバ１０１に送信する。また、必要に応じて、複数のサーバ１０１が存在する場合、サーバ名８０１を指定する。
【００３９】
サーバ１０１の制御部２０１は、ユーザＩＤ８０２、パスワード８０３等を受け取り、ユーザ認証を行う（ステップ５０２）。
【００４０】
端末装置１０３の制御部４０１は、正しくユーザ認証された場合、選択画面８１０を表示する（ステップ５０３）。
図７に示すように、ユーザ１０４は、ユーザグループ８１１を選択すると、制御部４０１は選択したユーザグループ８１１に応じて接続可能なデータベース名８１２が表示され、データベース名８１２を選択し、制御部４０１は、ユーザグループ８１１、データベース名８１２等をサーバ１０１に送信する（ステップ５０４）。
【００４１】
例えば、ユーザグループ８１１に“ｄｅｍｏ−ＲＷ（編集）”を選択すると、接続可能なデータベースとして“商品情報データベース（ｄｂ−Ｖ１）”と“商品情報データベース（ｄｂ−Ｖ２）”が表示され、“商品情報データベース（Ｖ１）”を選択する。
【００４２】
サーバ１０１の制御部２０１は、ユーザグループ８１１、データベース名８１２に応じた商品情報データベース３０１等を設定する（ステップ５０５）。
【００４３】
端末装置１０３の制御部４０１は、ユーザ１０４が商品情報データベース３０１に対する検索、閲覧等を行うメイン画面９００を表示する（ステップ５０６）。
図９は、メイン画面９００を示す図である。メイン画面９００には作業箱９５０、グループ表示部９５２、商品表示部９５４等が表示されている。図９に示す状態はグループ表示部９５２のグループＡ１１２をクリックし、グループＡ１１２内の商品のショートカットが商品表示部９５４に表示されている。
【００４４】
グループとは、ウィンドウズ（登録商標）のホルダに相当するものである。
商品表示部９５４に表示されている商品のショートカットをグループＡ１２にドラッグアンドドロップすると（ステップ５０７）、サーバ１０１内ではグループテーブル３０のグループＡ１２と商品ＩＤ２０ａが紐付けされる（ステップ５０８）。
【００４５】
次に、ステップ５０９およびステップ５１０の処理をより詳細に説明する。
図８は、記憶装置２０２内のテーブルを示す図であり、記憶装置２０２は商品情報テーブル２０、グループテーブル３０等が保持されている。
商品情報テーブル２０は、商品の情報を記憶するテーブルであり、商品ＩＤ２０ａと商品情報２０ｂ等を有する。例えば商品Ａについて商品ＩＤ２０ａは「１００００３２４」であり、商品情報２０ｂは「ＤＮＰパンフ」、「テレビＡｔｙｐｅ」である。
【００４６】
グループテーブル３０は、グループに紐付けされている商品の商品ＩＤを保持する。例えば、グループＡ１１２には商品ＩＤが「１００００３２４」の商品が紐付けされている。
【００４７】
図９に示す状態は、グループ表示部９５２のグループＡ１１２をクリックし、商品表示部９５４に商品ＩＤ「１００００３２４」の商品のショートカット９５６が表示されている。
【００４８】
図９に示す状態で商品Ａのショートカット９５６をダブルクリックすると、記憶装置２０２内のグループテーブル３０において、グループＡ１１２に紐付けされている商品Ａの商品ＩＤ２０ａを基に商品情報テーブル２０内の商品Ａの商品情報２０ｂが検索され、図１０に示すように画面９１０が表示される。なお、画面９１０はメイン画面９００に重ねて表示されてもよい。
【００４９】
図９に示すように、グループＡ１１２の商品Ａのショートカット９５６をドラッグすると、図８に示すように商品情報のテキストファイル１０が記憶装置２０２に作成され、メモリ６０上に商品Ａの商品ＩＤ２０ａと商品Ａの商品情報のテキストデータと作成したテキストファイル１０のファイルパスが格納される。なお、メモリ６０は制御部２０１のＲＡＭ等に相当する。
【００５０】
ドラッグした商品Ａのショートカット９５６をグループＡ１２にドロップすると、ドロップターゲットがグループであるということからメモリ６０内の商品Ａの商品ＩＤ２０ａが取り出され、記憶装置２０２のグループテーブル３０のグループＡ１２と取り出した商品ＩＤ２０ａが紐付けされ、結果としてグループＡ１２に商品Ａのショートカットが作成された状態となる。
【００５１】
そして、グループＡ１２の商品Ａのショートカットをメイン画面９００上でダブルクリックすると、記憶装置２０２内のグループテーブル３０においてグループＡ１２と紐付けされている商品ＩＤ２０ａを基に商品情報テーブル２０の商品Ａの商品情報２０ｂの全てが画面９１０に表示される。
【００５２】
以上の説明はショートカットをグループにドラッグアンドドロップする場合について説明したが、ショートカットを図９に示す作業箱９５０やバスケット９５１にドラッグアンドドロップする場合も同様の処理が行われる。
ここで、作業箱９５０は端末装置１０３を複数のユーザで使用する場合、そのユーザ毎のホルダに相当するものである。
バスケットはウィンドウズ（登録商標）のホルダのようなものであるが、アプリケーションソフトをログアウトするとバスケット内のデータが消滅する。
【００５３】
次に、第２の実施の形態について説明する。図１１から図１３は第２の実施の形態に関する図であり、図１１は第２の実施の形態の処理を示すフローチャート、図１２は記憶装置２０２を示す図、図１３は画面を示す図である。第２の実施の形態では図５の処理の後、図１１に示す処理を行う。
【００５４】
すなわち、メイン画面９００を表示した後（ステップ５０６）、画面上に商品情報画面９１０を表示させる（ステップ６０９）。そして、ある商品のショートカットを別の商品の付属商品の位置までドラッグアンドドロップする（ステップ６１０）。サーバ１０１では、記憶装置２０２内の関連テーブル４０上で、商品ＩＤ（１００００３２５）の商品Ｂの付属商品に商品Ａの商品ＩＤ（１００００３２４）が書き込まれる。
【００５５】
以下、ステップ６０９から６１１までの処理をより詳細に説明する。図１３に示す状態はグループ表示部９５２のグループＡ１２をクリックし、グループＡ１２に紐付けされている商品Ａのショートカット９５６が表示されている。このショートカット９５６を別の商品Ｂの付属商品９５８にドラッグアンドドロップする。
【００５６】
図１２に示されるように、記憶装置２０２は商品情報テーブル２０、関連テーブル４０等を有する。関連テーブル４０は、ある商品の付属商品としてそれらの商品のＩＤ番号が保持される。
【００５７】
記憶装置２０２の商品情報テーブル２０には商品Ａ、商品Ｂを一意に識別する商品ＩＤ２０ａ、商品ＩＤ２０ｃと商品情報２０ｂ、商品情報２０ｄが予め保持されている。商品Ａは図１３においてショートカット９５６に関するものであり、商品Ｂは図１３のドロップされる側の商品である。
【００５８】
図１３に示すように、ショートカット９５６のドラッグが行われると、商品情報のテキストファイル１０が記憶装置２０２に作成され、メモリ６０上に商品Ａの商品ＩＤ２０ａと商品Ａの商品情報のテキストデータと、作成されたテキストファイル１０のファイルパスが格納される。
【００５９】
商品Ｂの商品同士を関連付けるための項目である付属商品９５８にドロップすると、ドロップターゲットが関連付けを行うための項目であることから、メモリ６０内の商品Ａの商品ＩＤ２０ａが取り出される。
【００６０】
関連テーブル４０には商品Ｂの商品ＩＤ２０ｃが書き込まれ、また付属商品として商品Ａの商品ＩＤ２０ａが書き込まれる。このようにして、商品Ｂの付属商品として商品Ａが関連付けられる。
【００６１】
次に、第３の実施の形態について説明する。図１４、図１５、図１６は第３の実施の形態に関する図であり、図１４は第３の実施の形態の処理を示すフローチャート、図１５は記憶装置２０２を示す図、図１６は画面を示す図である。第３の実施の形態では図５の処理の後、図１４に示す処理を行う。
【００６２】
すなわち、メイン画面９００を表示した後（ステップ５０６）、商品Ａのショーカット９５６をデスクトップ９２０上にドラッグアンドドロップすると（ステップ７０９）、記憶装置２０２に商品Ａの商品情報のテキストファイル１０が生成される（ステップ７１０）。
【００６３】
次に、ステップ７０９、７１０の処理を詳細に説明する。
図１５に示すように、記憶装置２０２は商品情報テーブル２０を有しており、商品情報テーブル２０には商品Ａを一意に識別する商品ＩＤ２０ａと商品情報２０ｂが保持される。
【００６４】
図１６に示すように、端末装置１０３の画面９２０にはメイン画面９００が表示され、メイン画面９００の商品表示部９５４には商品Ａの商品情報２０ｂの一部が表示され、商品Ａのショートカット９５６が表示される。
【００６５】
ショートカット９５６をドラッグすると、商品情報のテキストファイル１０が記憶装置２０２内に生成され、メモリ６０上に商品Ａの商品ＩＤ２０ａと商品Ａの商品情報のテキストデータと作成したテキストファイル１０のファイルパスが格納される。
【００６６】
ドラッグしたショートカット９５６をウィンドウズ（登録商標）のデスクトップ９２０にドロップすると、ドロップターゲットがウィンドウズ（登録商標）上であるということからメモリ６０内のファイルパスが取り出され、取り出したファイルパスを基に記憶装置２０２内のテキストファイル１０がウィンドウズ（登録商標）上に作成され、そのショートカット９２１−ｉが作成される。ウィンドウズ（登録商標）上に作成されたテキストファイルは他のアプリケーションソフトからも読み込むことができる。
【００６７】
なお、図１６におけるショートカット９２１−ａ、９２１−ｂはウィンドウズ（登録商標）上における「マイドキュメント」、「マイネットワーク」等のアイコンである。
【００６８】
次に、第４の実施の形態について説明する。図１７、図１８、図１９は第４の実施の形態に関する図であり、図１７は第４の実施の形態の処理を示すフローチャート、図１８は記憶装置２０２を示す図、図１９は画面を示す図である。第４の実施の形態では図５の処理の後、図１７に示す処理を行う。
【００６９】
すなわち、メイン画面９００を表示した後（ステップ５０６）、素材情報画面９３２内の素材情報９４０をデスクトップ９２０上にドラッグアンドドロップすると（ステップ８０９）、デスクトップ９２０上に素材ファイル５５が生成される（ステップ８１０）。
【００７０】
次に、ステップ８０９、８１０の処理を詳細に説明する。図１８に示すように、記憶装置２０２は素材ファイル５５と、素材管理テーブル５０を有し、素材管理テーブル５０は素材ＩＤ２０ａ、素材ファイル名２０ｂ、ファイルパス２０ｃを有する。
【００７１】
例えば、素材Ａの素材ＩＤ２０ａは「１００００３２４」であり、素材ファイル名２０ｂは「Ｓａｍｐｌｅ  Ｉｍａｇｅ．ｅｐｓ」である。
【００７２】
図１９に示すように、端末装置１０３の画面９２０には素材情報画面９３２が表示され、その中のプレビュー画像表示部９３４には記憶装置２０２内の素材管理テーブル５０のファイルパス２０ｃを基に記憶装置２０２内に保存されている素材ファイル５５のプレビューデータが表示される。
【００７３】
素材Ａのプレビュー画像表示部９３４で素材Ａをドラッグすると、メモリ６０上に素材Ａの素材ＩＤ２０ａと素材Ａの素材情報のテキストデータとファイルパス２０ｃが格納される。
【００７４】
ドラッグした素材Ａをウィンドウズ（登録商標）上にドロップすると、ドロップターゲットがウィンドウズ（登録商標）上であるということからメモリ６０内のファイルパスが取り出され、取り出したファイルパス２０ｃを基に記憶装置２０２内の素材ファイル５５がウィンドウズ（登録商標）上に作成される。ウィンドウズ（登録商標）上に作成された素材ファイルは他のアプリケーションソフトからも読み込むことができる。
【００７５】
このように本実施の形態によれば、記憶装置２０２にから取得した情報の一覧表示の中から目的のレコードをマウスでドラッグアンドドロップする場合、そのドロップ先の対象によって異なる処理が行われる。例えば、ドロップ先の対象物がグループ、作業箱、バスケットであるときには、そのレコードのショートカットをグループ、作業箱、バスケットに作成する。
【００７６】
また、ドロップ先の対象物が他のレコードであるときには、レコード間の関連付けを行い、ドロップ先の対象物がＯＳ（オペレーティングシステム）のファイルシステムであるときにはレコードの情報をファイルとして出力する。
【００７７】
尚、本実施の形態では、データベースとして商品情報等を蓄積する商品情報データベース３０１を用いたが、商品情報等に限るものではない。
【００７８】
尚、図５、図６、図１１、図１４、図１７等に示す処理を行うプログラムはＣＤ−ＲＯＭ等の記録媒体に保持させて流通させてもよいし、このプログラムを通信回線を介して送受することもできる。
【００７９】
以上、添付図面を参照しながら、本発明に係るデータベースシステム等の好適な実施形態について説明したが、本発明はかかる例に限定されない。当業者であれば、本願で開示した技術的思想の範疇内において、各種の変更例または修正例に想到し得ることは明らかであり、それらについても当然に本発明の技術的範囲に属するものと了解される。
【図面の簡単な説明】
【００８０】
【図１】本実施の形態に係るデータベースシステム１００の概略構成を示す図
【図２】サーバ１０１のハードウェア構成図
【図３】記憶装置２０２におけるデータベースシステム関連ファイルを示す図
【図４】端末装置１０３のハードウェア構成図
【図５】データベースシステム１００の処理手順を示すフローチャート
【図６】データベースシステム１００の処理手順を示すフローチャート
【図７】ログイン画面を示す図
【図８】記憶装置２０２を示す図
【図９】メイン画面９００を示す図
【図１０】画面９１０を示す図
【図１１】第２の実施の形態の処理手順を示すフローチャート
【図１２】記憶装置２０２を示す図
【図１３】画面を示す図
【図１４】第３の実施の形態の処理手順を示すフローチャート
【図１５】記憶装置２０２を示す図
【図１６】画面を示す図
【図１７】第４の実施の形態の処理手順を示すフローチャート
【図１８】記憶装置２０２を示す図
【図１９】画面を示す図
【符号の説明】
【００８１】
１００………データベースシステム
１０１………サーバ
１０３………端末装置
１０４………ユーザ
１０９………ネットワーク
１１１………データベース操作手段
１１２………データベースサーバ管理手段
１１３………データベース管理手段
２０１、４０１………制御部
２０２、４０２………記憶装置
３０１………商品情報データベース
８１１………ユーザグループ
９０１………情報一覧
９０２………表示項目
９１２………表示項目セット
【図１】
2005092569.tif 000003
【図２】
2005092569.tif 000004
【図３】
2005092569.tif 000005
【図４】
2005092569.tif 000006
【図５】
2005092569.tif 000007
【図６】
2005092569.tif 000008
【図７】
2005092569.tif 000009
【図８】
2005092569.tif 000010
【図９】
2005092569.tif 000011
【図１０】
2005092569.tif 000012
【図１１】
2005092569.tif 000013
【図１２】
2005092569.tif 000014
【図１３】
2005092569.tif 000015
【図１４】
2005092569.tif 000016
【図１５】
2005092569.tif 000017
【図１６】
2005092569.tif 000018
【図１７】
2005092569.tif 000019
【図１８】
2005092569.tif 000020
【図１９】
2005092569.tif 000021